(57)【要約】      （修正有）【課題】製品の安定性を向上させ、製造コストを削減したガス或いは液体圧力の感知装置を提供する。【解決手段】アルミ材質基板で構成され、且つ上面回路基板部１１及び底面回路基板部１２が設けられ、上面回路基板部には上面側プリント接続端ユニット１１０、プリント回路ユニット１１１及び圧力感知ユニット１１２が設置される。圧力感知ユニットとプリント回路ユニットとは電気的に接続され、且つ底面回路基板部には、複数の底面側プリント接続端ユニットが設置される基板部１０と、フレキシブル回路基板であり、且つ信号制御回路部、延伸回路部２２及び接続回路部２３が設けられ、信号制御回路部は基板部の底面回路基板部に設置される複数の底面側プリント接続端ユニットに電気的に接続される制御回路基板部２０と、を含むことを特徴とする。【選択図】図２
0003193843.tif 000002
【実用新案登録請求の範囲】
【請求項１】
アルミ材質基板で構成され、且つ上面回路基板部及び底面回路基板部が設けられ、前記上面回路基板部には複数の上面側プリント接続端ユニット、複数のプリント回路ユニット及び圧力感知ユニットが設置され、前記圧力感知ユニットと前記プリント回路ユニットとは電気的に接続され、且つ前記底面回路基板部には、上面回路基板部に置かれる複数の上面側プリント接続端ユニットにそれぞれ対応する形で、複数の底面側プリント接続端ユニットが設置される基板部と、
柔らかいフレキシブル回路基板であり、且つ信号制御回路部、延伸回路部及び接続回路部が設けられ、前記信号制御回路部は前記基板部の前記底面回路基板部に設置される複数の前記底面側プリント接続端ユニットに電気的に接続される制御回路基板部と、
を含むことを特徴とするガス或いは液体圧力の感知装置。
【請求項２】
前記制御回路基板部はＦＰＣ（Flexible Printed Circuit）フレキシブルプリント基板であることを特徴とする、請求項１記載のガス或いは液体圧力の感知装置。
【請求項３】
ガス或いは液体圧力の感知装置であって、
前記ガス或いは液体圧力の感知装置は基板部、制御回路基板部、上部ケース及び下部ケースで構成され、
前記上部ケースには上部ケースを貫通する圧力ガイド孔が設けられ、前記上部ケース内部には封止リングがされ、
前記下部ケースには複数の接続端子が設けられ、前記基板部と前記接続回路部とは電気的に接続され、かつ前記上部ケースと前記下部ケースとの間に密封されるように設置されるガス或いは液体圧力の感知装置であって、
前記基板部係はアルミ材質基板で構成され、
且つ前記基板部には上面回路基板部及び底面回路基板部が設けられ、
前記上面回路基板部には複数の上面側プリント接続端ユニット、複数のプリント回路ユニット及び圧力感知ユニットが設置され、
前記圧力感知ユニットと前記プリント回路ユニットとは電気的に接続され、
前記圧力感知ユニットは前記上部ケースが設けられる圧力ガイド孔とは対向し、前記底面回路基板部には、上面回路基板部に置かれる複数の前記上面側プリント接続端ユニットにそれぞれ対応する形で、複数の底面側プリント接続端ユニットが設置され、
制御回路基板部はフレキシブルプリント基板であり、且つ前記控制回路基板には信号制御回路部、延伸回路部及び接続回路部が設けられ、信号制御回路部と基板部の底面回路基板部に設置される複数の前記底面側プリント接続端ユニットとは電気的に接続され、前記接続回路部と前記下部ケースに設置される複数の前記接続端子とは電気的に接続されることを特徴とするガス或いは液体圧力の感知装置。
【請求項４】
前記制御回路基板部はＦＰＣ（Flexible Printed Circuit）フレキシブルプリント基板であることを特徴とする、請求項３記載のガス或いは液体圧力の感知装置。  
【考案の詳細な説明】
【技術分野】
【０００１】
本考案は、ガス或いは液体圧力の感知装置に関し、特に、圧力の検知装置に関する。
【背景技術】
【０００２】
図６は従来のガス或いは液体圧力の感知装置装置を示す概略図である。前記感知装置は上部ケース３０、下部ケース４０及び基板部５０で構成される。且つ、前記上部ケース３０には圧力ガイド孔３１が設けられ、前記下部ケース４０には複数の接続端子４１が設置され、基板部５０にはセンサー５１、転換回路５２及び金属導線５３が配設される。前記センサー５１は金属導線５３により転換回路５２に電気的に接続され、且つ、基板部５０はセラミック或いは絶縁樹脂で製造され、基板部５０は上部ケース３０と下部ケース４０との間に密封されるように設置される。センサー５１は上部ケース３０の圧力ガイド孔３１に対向する。ガスや液体により上部ケース３０の圧力ガイド孔３１から圧力が加えられ、基板部５０のセンサー５３により感知され、圧力の感知結果が転換回路５２により電気信号に転換されて下部ケース４０の複数の接続端子４１に出力され、こうしてガスや液体の圧力の感知が行われる。
【考案の概要】
【考案が解決しようとする課題】
【０００３】
しかしながら、前記従来技術では、以下の問題点を有する。
（１）製品の安定性が優れない：基板部は絶縁樹脂で製造されるが、絶縁樹脂で製造される基板は過熱を受けると変形しやすく、放熱効果も優れない。長時間の使用の場合、環境的な要素で変化が生じやすく、感知の精確性が低下するため、製品の安定性が優れない。
（２）高いコスト：基板部はセラミックで製造され、高い電気抵抗及び優れた化学的な安定性を持つという長所を有するが、セラミックによる基板部は製造コストが高いため、使用コストも高くなる。
【０００４】
そこで、本考案者は上記の欠点を改善する可能性があると考え、鋭意検討を重ねた結果、合理的設計で上記の課題を効果的に改善する本考案に到った。
【０００５】
本考案は、このような従来の問題に鑑みてなされたものである。上記課題解決のため、本考案は、ガス或いは液体圧力の感知装置を提供することを主目的とする。
【課題を解決するための手段】
【０００６】
上述した課題を解決し、目的を達成するために、本考案に係るガス或いは液体圧力の感知装置は、基板部、制御回路基板部、上部ケース及び下部ケースで構成され、前記上部ケースを貫通する圧力ガイド孔が設けられ、上部ケースには封止リングが内設され、下部ケースには複数の導接端子が設置され、基板部と接続回路部とは電気的に接続されると共に上部ケースと下部ケースとの間に密封されるように設置されるガス或いは液体圧力の感知装置であって、前記基板部係はアルミ材質基板で構成され、且つ前記基板部には上面回路基板部及び底面回路基板部が設けられ、前記上面回路基板部には複数の上面側プリント接続端ユニット、複数のプリント回路ユニット及び圧力感知ユニットが設置され、前記圧力感知ユニットと前記プリント回路ユニットとは電気的に接続され、前記圧力感知ユニットは前記上部ケースが設けられる圧力ガイド孔と対向し、前記底面回路基板部の上面回路基板部に対する複数の前記上面側プリント接続端ユニットには複数の底面側プリント接続端ユニットがそれぞれ設置され、また、制御回路基板部はフレキシブルプリント基板であり、且つ前記控制回路基板には信号制御回路部、延伸回路部及び接続回路部が設けられ、信号制御回路部と基板部の底面回路基板部に設置される複数の前記底面側プリント接続端ユニットとは電気的に接続され、前記接続回路部と前記下部ケースに設置される複数の前記接続端子とは電気的に接続されることを特徴とする。
【０００７】
なお、上述の電気的接続方式は溶接であり、基板部はアルミ材質の基板で製品の強度及び放熱性が強化され、且つ基板が熱で変形するのを防止する。なお、基板部には両面に上面及び底面の回路基板部が設置されると共に柔らかいなフレキシブルのＦＰＣ制御回路基板部が採用され、構造及び製造工程が効果的に簡略化され、製造コストも削減させ、製品の安定性も高く使用コストも低いといった効果を達成させる。
【考案の効果】
【０００８】
本考案によれば、構造及び製造工程を効果的に簡略化させ、製造コストを低減させ、製品の高い安定性及び使用コストの低下といった効果が得られる。
【図面の簡単な説明】
【０００９】
【図１】本考案の第１実施形態によるガス或いは液体圧力の感知装置の傾斜の組合圖である。
【図２】本考案の第１実施形態によるガス或いは液体圧力の感知装置の傾斜の展開図である。
【図３】本考案の第１実施形態によるガス或いは液体圧力の感知装置の側面の断面圖である。
【図４】本考案の基板部及び制御回路部が上面に電気的に接続する構成の概略図である。
【図５】本考案の基板部及び制御回路部が底面に電気的に接続する構成の概略図である。
【図６】従来のガス或いは液体圧力の感知装置装置を示す概略図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
(第１実施形態)
【００１１】
以下、第１実施形態を図１〜５に基づいて説明する。本考案のガス或いは液体圧力の感知装置は、基板部１０、制御回路基板部２０、上部ケース３０及び下部ケース４０で構成される。前記上部ケース３０には圧力ガイド孔３１が設けられ、上部ケース３０には封止リング３２が内設され、下部ケース４０を貫通する複数の接続端子４１が設置され、基板部１０と制御回路基板部２０とは電気的に接続されると共に上部ケース３０と下部ケース４０との間に密封されるように設置される。前記基板部１０はアルミ材質基板で構成され、基板部１０には上面回路基板部１１及び底面回路基板部１２が設けられ、前記上面回路基板部１１には複数の上面側プリント接続端ユニット１１０、複数のプリント回路ユニット１１１及び圧力感知ユニット１１２が設置される。圧力感知ユニット１１２とプリント回路ユニット１１１とは電気的に接続され、且つ圧力感知ユニット１１２は上部ケース３０が設けられる圧力ガイド孔３１に対向し、前記底面回路基板部１２の上面回路基板部１１に対する複数の上面側プリント接続端ユニット１１０には複数の底面側プリント接続端ユニット１２０がそれぞれ設置される。また、制御回路基板部２０はＦＰＣ（Flexible Printed Circuit）フレキシブルプリント基板であり、前記制御回路基板部２０には信号制御回路部２１、延伸回路部２２及び接続回路部２３が設けられ、信号制御回路部２１と基板部１０の底面回路基板部１２に設置される複数の底面側プリント接続端ユニット１２０とは電気的に接続され、接続回路部２３と下部ケース４０に設置される複数の接続端子４１とは電気的に接続され、上述の電気的接続方式は溶接である。上述の構造により本考案のガス或いは液体圧力の感知装置が構成されることを特徴とする。
【００１２】
図２ないし図５に示すように、基板部１０はアルミ材質基板で構成され、基板部１０には上面回路基板部１１及び底面回路基板部１２が設けられる。前記上面回路基板部１１には複数の上面側プリント接続端ユニット１１０、複数のプリント回路ユニット１１１及び圧力感知ユニット１１２が設置され、圧力感知ユニット１１２とプリント回路ユニット１１１とは電気的に接続される。圧力感知ユニット１１２は上部ケース３０が設けられる圧力ガイド孔３１に対向し、前記底面回路基板部１２の上面回路基板部１１に対する複数の上面側プリント接続端ユニット１１０には複数の底面側プリント接続端ユニット１２０がそれぞれ設置される。制御回路基板部２０はＦＰＣ（Flexible Printed Circuit）フレキシブルプリント基板であり、前記制御回路基板部２０には信号制御回路部２１、延伸回路部２２及び接続回路部２３が設けられる。信号制御回路部２１と基板部１０の底面回路基板部１２に設置される複数の底面側プリント接続端ユニット１２０とは電気的に接続され、接続回路部２３と下部ケース４０に設置される複数の接続端子４１とは電気的に接続される。基板部１０はアルミ材質基板であるため製品の強度及び放熱性が強化され、且つ基板が熱で変形するのを防止させる。基板部１０の両面に設置される上面回路基板部１１及び底面回路基板部１２と柔らかいなフレキシブルのＦＰＣ制御回路基板部２０との組合せにより、構造及び製造工程を効果的に簡略化させ、製造コストも減らし、製品の優れた安定性及び使用コストの低下の効果を達成させる。
【００１３】
本考案の長所を下述する。
１．製品の優れた安定性：基板部はアルミ材質基板であるため製品の強度及び放熱性が強化され、基板が熱で変形するのを防止させる。よって製品は安定性に優れる。
２．使用コスト低減：基板部の両面に設置される上面回路基板部及び底面回路基板部と柔らかいなフレキシブルのＦＰＣ制御回路基板部との組合せにより、構造及び製造工程を効果的に簡略化させ、製造コストを下げ、使用コストも下げる。
【００１４】
以上、本考案の実施形態について図面を参照して詳述したが、具体的な構成はこの実施形態に限られるものではなく、本考案の要旨を逸脱しない範囲の設計変更等も含まれる。
【符号の説明】
【００１５】
0003193843.tif 000003
【図１】
0003193843.tif 000004
【図２】
0003193843.tif 000005
【図３】
0003193843.tif 000006
【図４】
0003193843.tif 000007
【図５】
0003193843.tif 000008
【図６】
0003193843.tif 000009